(57)【要約】【課題】上部に突設された固定ねじを用いて家具に固定される家具用脚において、任意の面を家具の正面に合わせて脚を家具に対し容易に固定することができ、取付作業性の良好な家具用脚を提供する。【解決手段】上端部に固定ねじが上向きに突設された脚本体１と、脚本体に対し係合部を介して係合可能に且つ所定の角度範囲で回転可能に脚本体１の外側に被せて装着されるカバー体２と、脚本体１の下端部に設けためねじ部にねじ込まれる調節足３と、を備える。家具の底部に設けためねじ部に、固定ねじ１１をねじ込んで締め付け固定する。固定ねじ１１を家具の底部のめねじ部にねじ込んだ後、カバー体２を反ねじ込み側に回してカバー体２の向きを適正にした状態で、調節足３を持って脚本体１を回して固定ねじ１１を締め付け固定する。【選択図】図１
2007275211.tif 000002
【特許請求の範囲】
【請求項１】
上端部に固定ねじが上向きに突設され、下端部にめねじ部が設けられた脚本体と、
該脚本体に対し係合部を介して係合可能に、且つ所定の角度範囲で回転可能に、該脚本体の外側に被せて装着されるカバー体と、
該カバー体の上端部に設けた上開口部に被着される蓋体と、
該脚本体の下端部に高さ調節可能にねじ込まれて装着される調節足と、
を備え、家具の底部に設けためねじ部に、該固定ねじをねじ込んで締め付け固定する家具用脚であって、
該固定ねじを該家具の底部のめねじ部にねじ込んだ後、該カバー体を反ねじ込み側に回して該カバー体の向きを適正にした状態で、該調節足を持って該脚本体を回し該固定ねじを締め付け固定することを特徴とする家具用脚。
【請求項２】
前記脚本体と前記カバー体が所定の角度範囲でのみ回転可能に係合する前記係合部として、該脚本体の外周部の一部とそれに対応したカバー体の内側の一部に凸部と凹部が係合可能に設けられたことを特徴とする請求項１記載の家具用脚。
【請求項３】
前記脚本体は、略円錐台形に形成し、前記カバー体は略角錐台形に形成されたことを特徴とする請求項１記載の家具用脚。
【発明の詳細な説明】
【技術分野】
【０００１】
本発明は、サイドボード、テレビ台など家具の脚として使用される家具用脚に関し、特に正しい姿勢で容易に取り付けることができる家具用脚に関する。
【背景技術】
【０００２】
従来、サイドボード、テレビ台など家具の脚として、家具本体の底面に、ねじなどで固定されて使用される家具用脚が、下記特許文献１などで知られている。この種の家具用脚は、通常、円柱形の脚本体の上部に固定ねじ（ボルト）を突設して形成され、家具の底面に脚を取り付ける場合、家具の底面に予めねじ止めされた取付座金に、その固定ねじをねじ込み、家具用脚を家具の底面に固定するように使用される。
【特許文献１】実開平６−２９４４６号公報
【発明の開示】
【発明が解決しようとする課題】
【０００３】
ところで、このように円柱形の脚本体を有する家具用脚は、固定ねじを軸にそれを回しながら締め付け固定されるところ、全ての方向を正面とすることができるため、固定ねじを取付座金にねじ込むように、脚本体を回して固定しても、何ら問題は生じない。
【０００４】
しかしながら、ユーザの要望として、円柱形の脚本体を有する家具用脚のほかに、断面を四角形とする角柱形或は異形断面を持った脚本体を有する家具用脚を希望される場合があり、このような角柱形或は異形断面を持った脚本体の家具用脚が上部にねじ込み式の固定ねじを設けて形成された場合、以下のような問題が生じる。
【０００５】
すなわち、角柱形或は異形断面の脚本体を有した家具用脚は、その正面が角柱の平坦面、或は特定の部分に限定される場合があり、そのような場合、家具用脚を家具の底面に固定するために、その上部に突設した固定ねじ（ボルト）を家具底面の取付座金に嵌め、脚本体を回して完全に固定ねじをねじ込んで固定すると、角柱の平坦面など特定の部分が正面にきたときに、家具用脚が完全に固定されるとは限らず、脚の正面以外の面が家具の正面となって脚が固定される不具合が生じる。
【０００６】
そこで、このような角柱形或は異形断面の脚本体を有した家具用脚は、家具用脚の上部に、固定ねじに代えて、フランジ状の固定座部を設け、その固定座部に穿設した複数の固定孔と木ねじを用いて脚を家具の底面に固定することが、一般的である。
【０００７】
しかし、家具を販売して顧客の家などに設置する際、家具の搬入時に脚を傷つけないように、脚を外した状態で搬入し、搬入場所で家具の底部に家具用脚を取り付けるようにしており、このような場合には、１個の脚に対し、３本或は４本の木ねじをねじ込んで固定する作業が、家具の搬入場所において必要となり、取付作業が煩雑となるという課題があった。
【０００８】
本発明は、上述の課題を解決するものであり、上部に突設された固定ねじを用いて家具に固定される家具用脚において、任意の面を家具の正面に合わせて脚を家具に対し容易に固定することができ、取付作業性の良好な家具用脚を提供することを目的とする。
【課題を解決するための手段】
【０００９】
上記の課題を解決するために、本発明の家具用脚は、上端部に固定ねじが上向きに突設され、下端部にめねじ部が設けられた脚本体と、該脚本体に対し係合部を介して係合可能に、且つ所定の角度範囲で回転可能に、該脚本体の外側に被せて装着されるカバー体と、該カバー体の上端部に設けた上開口部に被着される蓋体と、該脚本体の下端部に高さ調節可能にねじ込まれて装着される調節足と、を備え、家具の底部に設けためねじ部に、該固定ねじをねじ込んで締め付け固定する家具用脚であって、該固定ねじを該家具の底部のめねじ部にねじ込んだ後、該カバー体を反ねじ込み側に回してカバー体の向きを適正にした状態で、該調節足を持ち該脚本体を回して該固定ねじを締め付け固定することを特徴とする。
【００１０】
ここで、上記脚本体と前記カバー体には、所定の角度範囲でのみ回転可能に係合する上記係合部として、脚本体の外周部の一部とそれに対応したカバー体の内側の一部に、凸部と凹部を係合可能に設けることができる。
【００１１】
また、上記脚本体は、略円錐台形に形成し、上記カバー体は略角錐台形に形成することができる。
【発明の効果】
【００１２】
このような家具用脚は、家具の底部に設けためねじ部に対し、脚本体上端部の固定ねじをねじ込み、簡単な操作で固定することができる一方、固定ねじを一旦、家具の底部のめねじ部にねじ込んだ後、カバー体の向きを適正にするようにカバー体を反ねじ込み側に回した状態で、調節足を持って脚本体を回し、固定ねじをめねじ部に締め付け固定するから、家具用脚の正面つまりカバー体の正面が特定の面となる多角形断面或は異形断面の脚であっても、その正面を家具の正面に一致させて脚を固定することができる。したがって、例えば、四角錐台形の外形形状の脚であっても、その正面となる平坦面を家具の正面に適性に合わせて簡単に固定することができる。
【発明を実施するための最良の形態】
【００１３】
以下、本発明の一実施形態を図面に基づいて説明する。図１は家具用脚の斜視図を示し、図２はその分解斜視図を示している。この家具用脚は、上部に突設された固定ねじ１１を用いて、家具Ｋの底部にめねじ部として設けられた取付座金Ｋ１に、締め付け固定される家具用脚であり、固定ねじ１１は脚本体１の上部に上方に突設される。脚本体１の外周部には、カバー体２が係合部を介して係合可能に、且つ所定の角度範囲で回転可能に嵌め込まれ、脚本体１の底部には、調節足３が高さ調節可能に取り付けられている。
【００１４】
脚本体１は、図２、図４に示すように、上を大径、下を小径とする略円錐台形に形成され、その円錐台状の外周面には、０°〜９０°の範囲と１８０°〜２７０°の範囲で、円周凸部１３が上記係合部として、外周部に僅かな厚さだけ膨出するように形成される。つまり、軸を中心とした対称位置に９０°の範囲で円周凸部１３が形成される。
【００１５】
一方、その円錐台状の外周面における、９０°〜１８０°の範囲と２７０°〜３６０°の範囲には、円周凹部１２が形成される。つまり、円錐台状の外周面の９０°〜１８０°の範囲と２７０°〜３６０°の範囲の部分が、層状に除去されて、円周凹部１２が形成されている。この９０°の範囲で層状に除去された円周凹部１２には、後述のカバー体２の内側の凸状リブ２２が他方の係合部として配設され、９０°の角度範囲内でカバー体２を回転可能とする。一方、カバー体２を右方向に回して脚本体１の固定ねじ１１を家具の底部にねじ込む際は、凸状リブ２２が脚本体１の円周凸部１３の端部に係合して脚本体１に回動力を伝え、これを回すことになる。
【００１６】
また、脚本体１の上端部中央には、固定ねじ１１となるボルトがそのねじ部を上方に突出して埋設される。また、脚本体１の下端部の底面には、円柱状凹部１５が形成され、さらにその上方に打ち込みナット１４がめねじ部として埋設されている。打ち込みナット１４には、後述の調節足３の調節ねじ３１が高さ調節可能にねじ込まれ、円柱状凹部１５には、調節足３の円柱部３２が進入する。脚本体１はＡＢＳ樹脂などの合成樹脂により成形することができ、その場合、固定ねじ１１はインサートとしてインサート成形により定位置に取着することができる。
【００１７】
カバー体２は、図２、図５に示すように、略正四角錐台形に形成され、横断面及び上面が正方形に形成され、そこに方形開口部２３が形成されている。また、カバー体２の下端部には、略円形の円形開口部２４が形成され、カバー体２の内部には円錐状中空部２１が形成されている。さらに、カバー体２の円錐状中空部２１の内周面の、軸を中心に対向する２箇所には、上記係合部となる凸状リブ２２が、内周面の対向位置に軸方向に沿って形成されている。
【００１８】
この円錐状中空部２１は、上記の脚本体１の外形形状に対応して形成され、脚本体１をカバー体２の上部の方形開口部２３から円錐状中空部２１内に挿入する、つまりカバー体２を脚本体１の下側からその円錐状中空部２１内に通して、脚本体１の外側を覆うように嵌入することができる。カバー体２の上端部つまり方形開口部２３には、方形板状の蓋体４が嵌着される。図２に示すように、蓋体４の中央には、固定ねじ１１を通すための孔４２が形成され、その孔４２の周囲に環状凹部４１が形成されている。カバー体２及び蓋体４は、合成樹脂により成形することができる。
【００１９】
調節足３は、その上部中央に円柱部３２が突設され、円柱部３２の上部に調節ねじ３１が上方に向けて突設されている。調節ねじ３１はボルトを用いて形成され、ボルトの頭部を円柱部３２内に嵌着しそのねじ部を上方に突き出すように取り付けることができ、または調節足３が合成樹脂で成形される場合、ボルトの調節ねじ３１をインサートとしてインサート成形することができる。
【００２０】
上記構成の家具用脚を組み立てる場合、図２のように、カバー体２の円錐状中空部２１内に脚本体１を上から挿入し、或いは脚本体１の下側からカバー体２を被せるように挿入し、蓋体４をカバー体２の上部の方形開口部２３に嵌着し蓋をする。このとき、カバー体２内の凸状リブ２２は脚本体１の円周凹部１２に進入し、蓋体４の中央の孔４２から固定ねじ１１が上方に突出した状態となる。
【００２１】
次に、カバー体２の下部の円形開口部２４から、調節足３の調節ねじ３１をカバー体内に挿入し、内側の脚本体１の打ち込みナット１４に調節ねじ３１をねじ込む。このとき、調節ねじ３１には平座金３３を嵌入しておく。調節ねじ３１を打ち込みナット１４内にねじ込むと、調節足３の円柱部３２がカバー体２内に進入し、平座金３３を介して円柱部３２が脚本体１の下面に締付けられた状態となる。この状態で、カバー体２を持って調節足３を回すと、調節足３と脚本体１は、約９０°の範囲で回転可能である。つまり、カバー体２内の凸状リブ２２が脚本体１の円周凹部１２（９０°の角度範囲）内に位置しているため、図５に示すように、凸状リブ２２が円周凸部１３の端部に当るまで、脚本体１とカバー体２は相対的に約９０°の範囲で回転可能である。
【００２２】
このように構成された家具用脚は、図７、図８に示すように、例えば、テレビ台、サイドテーブルなどの家具Ｋの底面に、固定ねじ１１をねじ込むようにして取り付けられる。家具Ｋの底部には、めねじ部として取付座金Ｋ１が埋設されている。
【００２３】
先ず、カバー体２を持ってそれを右方向に回しながら、家具用脚の上端の固定ねじ１１を底面の取付座金Ｋ１にねじ込む。そして、ねじ込み端に達したとき、家具用脚は、一旦、家具Ｋの底面に対し停止しロックされる。このとき、角錐状の家具用脚のカバー体２の正面（通常はその正方形断面の一辺を含む平坦な一面）が、家具Ｋの正面と一致した状態であれば問題はないが、通常は、家具用脚の正面が家具の正面に対して斜めを向いて停止する。
【００２４】
このような場合、カバー体２を持って、固定ねじ１１が緩む方向（反ねじ込み方向）つまり反締付方向（左方向）に回して、家具用脚の正面が家具Ｋの正面を向くように操作する。この場合の回転角度範囲は、カバー体２の形状が略四角錐台形であって、その横断面が正方形である場合、９０°以内の回転範囲である。このカバー体２の反締め付け側への回転時、カバー体２は脚本体１と共に回転し、正面を向く正しい姿勢となる。
【００２５】
次に、調節足３を持って脚本体１をねじ込む方向（右方向）つまり締め付け方向に回す。このとき、一方の手でカバー体２を把持しながら、他方の手で調節足３を回すと、カバー体２内の脚本体１のみが固定ねじ１１と共にねじ込む側に回転し、脚本体１は蓋体４を介して固定ねじ１１により締付け固定される。
【００２６】
このとき、脚本体１はカバー体２内で約９０°の範囲で回転可能であり、上記のように、最初に固定ねじ１１が締付けロックされた状態から４５°以内の左方向の回転で角度を調節し緩めた後であるから、略４５°前後の角度の回転で、再び締付けロックすることができる。これで、家具用脚の外面のカバー体２の正面が家具Ｋの正面と一致した正しい状態で、家具用脚が家具Ｋに固定される。
【００２７】
このように、先ずカバー体２を回してロックし、その後、少し戻すように角度を調節してカバー体２の向きを家具に合わせて正しい姿勢とし、その後、調節足３を持って再び締付けロックするから、家具用脚を、家具に対し適正な向きとし、且つ非常に簡単に固定することができる。
【００２８】
この後、同様な操作を行なって１台の家具Ｋに対し通常４本の家具用脚が取り付けられるが、このような取付状態で、調節足３は最も短い状態にあり、脚の長さを調節する必要が場合は、調節足３を持って左に回すと、調節ねじ３１に嵌めた平座金３３が滑って、調節足３がその上部の調節ねじ３１と共に左に回転し、調節ねじ３１が下方に突き出すように進み、家具用脚の長さが調節される。このように、家具用脚の取り付けと、脚の高さ調節は、カバー体２または調節足３を回すだけで、簡単に行うことができる。
【００２９】
なお、上記カバー体２は、四角錐台形としたが、他の多角錐台形或は角柱としてもよく、正面が特定される異形断面など、正面と他の面が形成される形状のものであればよい。また、係合部として脚本体の外周部に設けた円周凹部とカバー体の内側に設けた凸状リブは逆の関係としてもよく、所定の角度範囲で脚本体とカバー体とが相対的に回転する係合部であればよい。
【００３０】
また、上記実施形態では、調節足３を合成樹脂で形成したが、調節足はアルミニウム合金、亜鉛合金などの金属で一体成形することもできる。
【図面の簡単な説明】
【００３１】
【図１】本発明の一実施形態を示す家具用脚の斜視図である。
【図２】同家具用脚の分解斜視図である。
【図３】脚本体の平面図（ａ）と正面図（ｂ）である。
【図４】カバー体の平面図（ａ）と正面図（ｂ）である。
【図５】カバー体の内部に脚本体を挿入した状態の平面図である。
【図６】組み付けた家具用脚の平面図（ａ）と正面図（ｂ）である。
【図７】家具に固定する際の家具用脚の動きを示す正面図と断面図である。
【図８】家具に固定した家具用脚の正面図である。
【符号の説明】
【００３２】
１  脚本体
２  カバー体
３  調節足
４  蓋体
１１  固定ねじ
１２  円周凹部
１３  円周凸部
１４  打ち込みナット
２１  円錐状中空部
２２  凸状リブ
【図１】
2007275211.tif 000003
【図２】
2007275211.tif 000004
【図３】
2007275211.tif 000005
【図４】
2007275211.tif 000006
【図５】
2007275211.tif 000007
【図６】
2007275211.tif 000008
【図７】
2007275211.tif 000009
【図８】
2007275211.tif 000010